(57)【要約】【課題】本発明は、今までの稼働させた時間と、実際に想定される残寿命時間との差異を把握することができる電源装置を提供する。【解決手段】本発明に係る電源装置１００は、電源部１０、計時回路２１、演算回路２２、表示回路２３を備えている。計時回路２１は、電源部１０の稼動時間を計時する。演算回路２２は、計時回路２１で計時した稼働時間を積算して積算稼動時間を算出し、電源部１０からの情報に基づき残寿命時間を演算する。表示回路２３は、積算稼動時間および残寿命時間を前記電源部の寿命に関する情報として表示することが可能である。【選択図】図１
2018152994.tif 000002
【特許請求の範囲】
【請求項１】
電源部と、
前記電源部の稼動時間を計時する計時部と、
前記計時部で計時した稼働時間を積算して積算稼動時間を算出し、前記電源部からの情報に基づき残寿命時間を演算する演算部と、
前記電源部の寿命に関する情報を表示する表示部とを備え、
前記表示部は、前記積算稼動時間および前記残寿命時間を前記電源部の寿命に関する情報として表示することが可能である、電源装置。
【請求項２】
前記表示部で表示する情報を切り替える切替信号を入力する入力部をさらに備え、
前記表示部は、前記入力部に入力された前記切替信号に基づき、前記電源部の寿命に関する情報として前記積算稼動時間と前記残寿命時間とを切替えて表示する、請求項１に記載の電源装置。
【請求項３】
前記入力部は、表示切替スイッチである、請求項２に記載の電源装置。
【請求項４】
外部装置と通信を行う通信部をさらに備え、
前記入力部は、前記通信部の受信信号を前記切替信号として入力する、請求項２に記載の電源装置。
【請求項５】
前記通信部は、前記積算稼動時間および前記残寿命時間を前記電源部の寿命に関する情報として前記外部装置に送信することが可能である、請求項４に記載の電源装置。
【請求項６】
前記演算部は、前記積算稼動時間および前記残寿命時間に基づき残寿命割合を演算し、
前記表示部は、前記演算部で演算した前記残寿命割合を表示する、請求項１〜請求項５のいずれか１項に記載の電源装置。
【発明の詳細な説明】
【技術分野】
【０００１】
本発明は、寿命に関する情報を表示可能な電源装置に関する。
【背景技術】
【０００２】
電源装置では、交換時期である寿命を知らせる機能として積算稼動時間を表示する装置と、残寿命時間を表示する装置とがあった。使用者は、目的に応じて積算稼動時間を表示して寿命を知らせる電源装置を選択するか、残寿命時間を表示して寿命を知らせる電源装置を選択するかを購入時に決める必要があった。例えば、残寿命時間を表示して寿命を知らせる装置では、残寿命時間メモリに、順次時間経過と共に縮小してゆく残寿命時間を格納し、さらに温度センサで検出した温度から算出した経過寿命時間を残寿命時間から差し引くことで表示する残寿命時間を算出している（特許文献１）。
【先行技術文献】
【特許文献】
【０００３】
【特許文献１】特開２００１−９１４１３号公報
【発明の概要】
【発明が解決しようとする課題】
【０００４】
しかし、特許文献１に開示されている装置では、使用者が残寿命時間しか装置の寿命に関する情報を得ることができず、積算稼動時間については得ることができない。また、装置の購入時に、積算稼動時間を表示する装置を選択したが、後に残寿命時間を表示させたいと使用者が思っても装置を交換する以外に方法がなかった。さらに、積算稼動時間を表示する、または残寿命時間を表示するだけでは、装置の寿命のうちどの程度まで稼働させたのかについて使用者が知ることができないという問題があった。
【０００５】
本発明は、今までの稼働させた時間と、実際に想定される残寿命時間との差異を把握することができる電源装置を提供することを目的とする。
【課題を解決するための手段】
【０００６】
本発明のある局面によれば、電源部と、電源部の稼動時間を計時する計時部と、計時部で計時した稼働時間を積算して積算稼動時間を算出し、電源部からの情報に基づき残寿命時間を演算する演算部と、電源部の寿命に関する情報を表示する表示部とを備え、表示部は、積算稼動時間および残寿命時間を前記電源部の寿命に関する情報として表示することが可能である。
【０００７】
好ましくは、表示部で表示する情報を切り替える切替信号を入力する入力部をさらに備え、表示部は、入力部に入力された切替信号に基づき、電源部の寿命に関する情報として積算稼動時間と残寿命時間とを切替えて表示する。
【０００８】
好ましくは、入力部は、表示切替スイッチである。
好ましくは、外部装置と通信を行う通信部をさらに備え、入力部は、通信部の受信信号を切替信号として入力する。
【０００９】
好ましくは、通信部は、積算稼動時間および残寿命時間を電源部の寿命に関する情報として外部装置に送信することが可能である。
【００１０】
好ましくは、演算部は、積算稼動時間および残寿命時間に基づき残寿命割合を演算し、表示部は、演算部で演算した残寿命割合を表示する。
【発明の効果】
【００１１】
本技術に係る電源装置によれば、積算稼動時間および残寿命時間を電源部の寿命に関する情報として表示部で表示することが可能であるので、今までの稼働させた時間と、実際に想定される残寿命時間との差異を把握することでき、装置を改善するための参考にすることができる。
【図面の簡単な説明】
【００１２】
【図１】本発明の実施形態に係る電源装置の構成を説明するためのブロック図である。
【図２】本発明の実施形態に係る電源装置の外観の一例を模式的に示す図である。
【図３】本発明の実施形態に係る電源装置で表示する積算稼動時間およびその表示の一例を示す図である。
【図４】本発明の実施形態に係る電源装置で表示する残寿命時間およびその表示の一例を示す図である。
【図５】本発明の実施形態に係る電源装置で表示する残寿命割合の表示の一例を示す図である。
【図６】本発明の実施形態に係る電源装置で寿命に関する情報を表示する処理を説明するためのフローチャートである。
【発明を実施するための形態】
【００１３】
以下において、本実施の形態について図面を参照して詳しく説明する。なお、図中同一符号は同一または相当部分を示す。
【００１４】
（Ａ．電源装置の構成）
本発明の実施形態に係る電源装置の構成について図面を用いて説明する。図１は、本発明の実施形態に係る電源装置の構成を説明するためのブロック図である。図１に示す電源装置１００は、スイッチング電源装置であり電源部１０、表示部２０を備える。
【００１５】
電源部１０は、ノイズフィルタ１１、整流回路１２、力率改善回路１３、突入電流制限回路１４、平滑回路１５、トランス１６、ドライブ制御回路１７、ＭＯＳＦＥＴ１８、過電流検出回路１９、整流・平滑回路３１、電圧検出回路３２および過電圧検出回路３３を備える。
【００１６】
ノイズフィルタ１１、ＩＮＰＵＴに交流電源（例えば、５０Ｈｚ／６０Ｈｚ、１００Ｖ／２００Ｖの商用電源）を接続した場合、当該交流電源に重畳した高周波のノイズ成分に対してフィルタリングを施し、ノイズ成分を除去した交流電源を整流回路１２に供給する。
【００１７】
整流回路１２は、ダイオードブリッジの全波整流回路で構成し、ノイズフィルタ１１から供給された交流電源を全波整流した脈流にして、一次側直流電源を生成する。
【００１８】
力率改善回路１３は、入力電流に発生する高調波電流を抑制するための回路であり、ＰＦＣ（Power Factor Correction）回路とも呼ばれている。突入電流制限回路１４は、例えば、抵抗と、この抵抗に並列に挿入されたリレーとから構成され、起動時から数十ミリ秒の間、リレーが開いて突入電流を防止し、その後リレーが閉じて電源を起動することができるようになっている。平滑回路１５は、平滑コンデンサで構成し、全波整流した交流電源を平滑化している。
【００１９】
ドライブ制御回路１７は、ＰＷＭ（Pulse Width Modulation）信号発生器、フィードバック制御回路、ＯＣＰ（Over Current Protect）端子、スイッチング駆動端子、駆動電源端子などを備えた制御ＩＣで構成し、高周波のＰＷＭ信号をＭＯＳＦＥＴ１８のゲートに供給し、ＭＯＳＦＥＴ１８を駆動する。
【００２０】
また、ドライブ制御回路１７は、図示していないフォトカプラを介して、電圧検出回路３２で検出した二次側（出力側）の電圧を帰還している。そして、ドライブ制御回路１７は、当該電圧に基づいてＰＷＭ信号のデューティ比を変更し、直流電源の出力電圧を規定の値となるようにＭＯＳＦＥＴ１８を駆動する。さらに、ドライブ制御回路１７とＭＯＳＦＥＴ１８との間に過電流検出回路１９が設けられている。
【００２１】
ＭＯＳＦＥＴ１８は、トランス１６の一次巻線と直列に接続し、ドライブ制御回路１７から供給されるＰＷＭ信号に対応して一次側直流電源を断続して一次巻線に高周波のパルス電源（交流電源）を発生させる。
【００２２】
トランス１６は、一次側と二次側を電気的に絶縁した絶縁トランスで構成し、一次巻線、二次巻線および補助巻線を備え、一次巻線に発生した高周波のパルス電源（交流電源）を二次巻線および補助巻線に誘導する。なお、二次巻線に誘導された高周波のパルス電源（交流電源）は、直流出力電源に利用され、補助巻線に誘導された高周波のパルス電源（交流電源）は、ドライブ制御回路１７の起動に利用される。
【００２３】
整流・平滑回路３１は、ダイオードの半波整流回路、平滑コンデンサで構成し、二次巻線に誘導された高周波のパルス電源（交流電源）を半波整流した後に平滑して規定の出力電圧および出力電流の直流出力電源を発生する。発生した直流出力電源は、ＤＣ−ＯＵＴＰＵＴから出力される。
【００２４】
電圧検出回路３２は、直流出力電源の出力電圧を対応した降圧電圧で検出し、図示していないフォトカプラを介してドライブ制御回路１７に出力している。直流出力電源の出力側とドライブ制御回路１７との間に、図示していないフォトカプラを介して過電圧検出回路３３が設けられている。
【００２５】
表示部２０は、計時回路２１、演算回路２２、表示回路２３、スイッチ２４、通信回路２５および整流・平滑回路２６を備える。
【００２６】
計時回路２１は、電源部１０の稼働時間を計時するタイマである。計時回路２１は、ＤＣ−ＯＵＴＰＵＴから直流出力電源が発生している時間を計時し、無通電時間を計時していない。
【００２７】
演算回路２２は、計時回路２１で計時した時間を積算して積算稼働時間を算出したり、残寿命時間および残寿命割合を演算したりする回路である。さらに、演算回路２２は、表示回路２３の表示制御、スイッチ２４から入力された切替信号の受け付け、通信回路２５の制御なども行っている。演算回路２２は、制御中枢としてのＣＰＵ（Central Processing Unit）、ＣＰＵが動作するためのプログラムや制御データ等を記憶しているＲＯＭ（Read Only Memory）、ＣＰＵのワークエリアとして機能するＲＡＭ（Random Access Memory）、周辺機器との信号の整合性を保つための入出力インターフェイス等で構成されている。
【００２８】
表示回路２３は、電源装置１００の表面に設けられた表示装置である。図２は、本発明の実施形態に係る電源装置の外観の一例を模式的に示す図である。図２に示す電源装置１００では、ＩＮＰＵＴの端子、ＤＣ−ＯＵＴＰＵＴの端子を設けた面に、表示回路２３およびスイッチ２４が設けられている。表示回路２３は、例えば７セグメント３桁表示であって、表示回路２３の横側に並ぶＬＥＤランプの点灯により表示している値の内容を示している。例えば、「Ｖ」のＬＥＤランプが点灯している場合、表示回路２３に表示している値は、電源装置１００が出力している電圧を表している。「ｋｈ」のＬＥＤランプが点灯している場合、表示回路２３に表示している値は、電源装置１００の寿命に関する情報を表している。なお、表示回路２３は、ＬＣＤや有機ＥＬディスプレイなどであってもよい。
【００２９】
スイッチ２４は、表示切替スイッチであって表示回路２３で表示する内容を切り替える。使用者がスイッチ２４を押下することで、切替信号が演算回路２２に入力される。演算回路２２は、入力された切替信号に基づき、電源部１０の寿命に関する情報として積算稼動時間と残寿命時間とを切替えて表示するように表示回路２３の表示を制御する。
【００３０】
通信回路２５は、外部装置と通信を行うための回路であって、ＵＳＢ（Universal Serial Bus）通信、シリアル通信、パラレル通信、有線ネットワーク（例えば、イーサネット（登録商標））、無線ネットワーク（例えば、無線ＬＡＮやＢＬＵＥＴＯＯＴＨ（登録商標））などの公知の手段を用いることができる。通信回路２５を介して外部装置から表示回路２３の表示内容を切り替える切替信号を入力したり、演算回路２２から電源部１０の寿命に関する情報として積算稼動時間や残寿命時間などを外部装置に出力したりすることが可能となる。
【００３１】
整流・平滑回路２６は、ダイオードの半波整流回路、平滑コンデンサで構成し、二次巻線に誘導された高周波のパルス電源（交流電源）を半波整流した後に平滑して規定の出力電圧および出力電流の直流出力電源を発生する。発生した直流出力電源で表示部２０の起動に利用している。
【００３２】
（Ｂ．積算稼働時間）
演算回路２２は、計時回路２１で計時した時間を積算して積算稼働時間を算出して、電源部１０の寿命に関する情報を演算している。図３は、本発明の実施形態に係る電源装置で表示する積算稼動時間およびその表示の一例を示す図である。図３（ａ）は、時間と積算稼働時間との関係を示しており、電源部１０にＡＣ入力がある期間のみ積算稼動時間を加算し、ＡＣ入力がない期間について積算稼動時間を加算していない。
【００３３】
つまり、演算回路２２は、電源部１０で直流出力電源を発生している時間のみ積算稼働時間を積算することで、実稼働時間を算出することができる。なお、積算稼働時間は、直流出力電源を発生している時間の積算を行っており、電源に内蔵されている電解コンデンサの劣化量や周囲温度の影響などを考慮した時間ではない。
【００３４】
演算回路２２は、積算稼働時間が５０ｋｈの場合、表示回路２３に「積算稼働時間」と「５０ｋｈ」が表示（図３（ｂ））されるように制御する。なお、表示回路２３は、以下ＬＣＤであるとして説明する。つまり、使用者は、電源部１０の寿命に関する情報として積算稼動時間を表示させたい場合、スイッチ２４を押下して表示回路２３の表示内容を積算稼動時間に切り替えることで、図３（ｂ）の表示を得ることができる。
【００３５】
（Ｃ．残寿命時間）
演算回路２２は、電解コンデンサの劣化量や周囲温度などに基づき、残寿命時間を算出して、電源部１０の寿命に関する情報を演算している。電源装置１００の平滑回路１５などに使用される電解コンデンサは、製造された時点から、含浸された電解液が封止ゴムを透過し、時間とともに内部の電解液の蒸発が進み、静電容量の減少をはじめとする特性の劣化が生じる。この電解コンデンサの寿命が電源部１０の寿命に大きく依存している。そこで、演算回路２２は、電源部１０からの情報である電解コンデンサの劣化量に基づいて電源部１０の残寿命時間を算出している。
【００３６】
図４は、本発明の実施形態に係る電源装置で表示する残寿命時間およびその表示の一例を示す図である。図４（ａ）は、電解コンデンサの容量と電源部１０の残寿命時間との関係を示すグラフである。図４（ａ）の縦軸は、電解コンデンサの交換時期の容量を０％、製造時の容量を１００％とした場合の電解コンデンサの容量である。つまり、電解コンデンサの容量の低下が、電解コンデンサの劣化量を示している。図４（ａ）の横軸は、電源部１０の残寿命時間を表し、電解コンデンサの容量が１００％の場合に電源部１０の残寿命時間を１００ｋｈとし、電解コンデンサの容量が０％の場合に電源部１０の残寿命時間を０ｋｈとしている。
【００３７】
演算回路２２は、電解コンデンサの容量が５０％の場合、図４（ａ）に示すように電源部１０の残寿命時間が５０ｋｈと算出される。そのため、演算回路２２は、表示回路２３に「残寿命時間」と「５０ｋｈ」が表示（図４（ｂ））されるように制御する。つまり、使用者は、電源部１０の寿命に関する情報として残寿命時間を表示させたい場合、スイッチ２４を押下して表示回路２３の表示内容を残寿命時間に切り替えることで、図４（ｂ）の表示を得ることができる。
【００３８】
なお、電解コンデンサの劣化量は、周囲温度により大きく変化する。一般的に、電解コンデンサの劣化量は、アレニウスの化学反応速度論に従い周囲温度が約１０℃変化すると約２倍になることが知られている。図４（ａ）に示したグラフが４０℃の周辺温度の場合、周辺温度が４０℃より高くなればグラフの傾き（絶対値）が大きくなり、逆に周辺温度が４０℃より低くなればグラフの傾き（絶対値）が小さくなる。そのため、演算回路２２は、図示していない温度センサを用いて稼働中の電源内部の温度を監視し、稼働時間と内部温度から電解コンデンサの劣化量を算出するようにしてもよい。
【００３９】
さらに、電解コンデンサの劣化量は、電源部１０の入力電圧や電源部１０に接続される負荷の大きさにより変化する。そのため、演算回路２２は、稼働中の入力電圧や負荷を監視し、稼働時間とこれらの監視量から電解コンデンサの劣化量を算出するようにしてもよい。
【００４０】
（Ｄ．残寿命割合）
積算稼働時間は、今までに電源部１０が稼働した時間を表し、残寿命時間は、今後、電源部１０を稼働することができる時間を表している。しかし、いずれの時間を見ても、電源部１０の寿命のうちどの程度まで稼働させたのかを知ることができない。さらに、積算稼働時間または残寿命時間のいずれか一方の情報しか得られない電源装置では、表示を切り替えて使用者自身で電源部１０の寿命のうちどの程度まで稼働させたのかを求めることもできない。
【００４１】
そこで、演算回路２２は、算出した積算稼働時間と残寿命時間とを組み合わせることにより、残寿命割合を表せることが可能になった。具体的に、演算回路２２は、残寿命割合を［残寿命時間／（残寿命時間＋積算稼働時間）×１００］（％）として算出している。
【００４２】
図５は、本発明の実施形態に係る電源装置で表示する残寿命割合の表示の一例を示す図である。演算回路２２は、例えば積算稼働時間が図３（ｂ）のように５０ｋｈで残寿命時間が図４（ｂ）のように５０ｋｈの場合、残寿命割合＝５０／（５０＋５０）×１００＝５０％と算出される。そのため、演算回路２２は、表示回路２３に「残寿命割合」と「５０％」が表示（図５）されるように制御する。つまり、使用者は、電源部１０の寿命に関する情報として残寿命割合を表示させたい場合、スイッチ２４を押下して表示回路２３の表示内容を残寿命割合に切り替えることで、図５の表示を得ることができる。
【００４３】
表示回路２３に残寿命割合を表示させることで、使用者が今までの稼働させた時間と、今後稼働させることができる時間を知ることができるとともに、電源部１０の寿命のうちどの程度まで稼働させたのかを知ることができる。これにより、今までの稼働させた時間と、実際に想定される残寿命時間との差異を把握することでき、装置を改善するための参考にすることができる。
【００４４】
（Ｅ．電源部１０の寿命に関する情報の切り替え）
電源部１０の寿命に関する情報は、図２に示すスイッチ２４を押下することで切り替えて表示回路２３に表示することができる。以下、演算回路２２が、スイッチ２４の押下により入力された切替信号または通信回路２５で受信した外部装置からの切替信号に基づいて、電源部１０の寿命に関する情報を切り替える処理について説明する。図６は、本発明の実施形態に係る電源装置で寿命に関する情報を表示する処理を説明するためのフローチャートである。
【００４５】
まず、演算回路２２は、スイッチ２４の押下による切替信号の入力または通信回路２５での切替信号の受信の有無を判断する（ステップＳ１１）。演算回路２２は、切替信号の入力または受信があったと判断した場合（ステップＳ１１：ＹＥＳ）、表示回路２３に算出した残寿命割合（図５）を表示させる（ステップＳ１２）。演算回路２２は、切替信号の入力または受信がないと判断した場合（ステップＳ１１：ＮＯ）、切替信号の入力または受信の待ち状態となる。つまり、電源部１０の寿命に関する情報を表示回路２３に表示していない状態で、切替信号の入力等があった場合、当該入力等がトリガとなって電源部１０の寿命に関する情報を表示回路２３に表示させる。
【００４６】
次に、演算回路２２は、所定時間内にスイッチ２４の押下による切替信号の入力または通信回路２５での切替信号の受信の有無を判断する（ステップＳ１３）。演算回路２２は、所定時間内に切替信号の入力または受信があったと判断した場合（ステップＳ１３：ＹＥＳ）、表示回路２３に算出した積算稼働時間（図３（ｂ））を表示させる（ステップＳ１４）。演算回路２２は、所定時間内に切替信号の入力または受信がないと判断した場合（ステップＳ１３：ＮＯ）、電源部１０の寿命に関する情報の表示を終了する。つまり、ステップＳ１１における切替信号の入力等で、一旦、電源部１０の寿命に関する情報を表示させ場合、さらに切替信号の入力等があれば電源部１０の寿命に関する情報を切り替える。
【００４７】
次に、演算回路２２は、所定時間内にスイッチ２４の押下による切替信号の入力または通信回路２５での切替信号の受信の有無を判断する（ステップＳ１５）。演算回路２２は、所定時間内に切替信号の入力または受信があったと判断した場合（ステップＳ１５：ＹＥＳ）、表示回路２３に算出した残寿命時間（図４（ｂ））を表示させる（ステップＳ１６）。演算回路２２は、所定時間内に切替信号の入力または受信がないと判断した場合（ステップＳ１５：ＮＯ）、電源部１０の寿命に関する情報の表示を終了する。
【００４８】
次に、演算回路２２は、所定時間内にスイッチ２４の押下による切替信号の入力または通信回路２５での切替信号の受信の有無を判断する（ステップＳ１７）。演算回路２２は、所定時間内に切替信号の入力または受信があったと判断した場合（ステップＳ１７：ＹＥＳ）、ステップＳ１２に戻り表示回路２３に算出した残寿命割合（図５）を表示させる。演算回路２２は、所定時間内に切替信号の入力または受信がないと判断した場合（ステップＳ１７：ＮＯ）、電源部１０の寿命に関する情報の表示を終了する。つまり、ステップＳ１１における切替信号の入力等で、一旦、電源部１０の寿命に関する情報を表示させ場合、切替信号の入力等によって、残寿命割合、積算稼働時間、残寿命時間の順で表示を切り替えることができる。
【００４９】
以上のように、本発明の実施形態に係る電源装置１００は、電源部１０、計時回路２１、演算回路２２、表示回路２３を備えている。そして、表示回路２３は、積算稼動時間および残寿命時間を電源部１０の寿命に関する情報として表示することが可能である。そのため、電源装置１００は、今までの稼働させた時間と、実際に想定される残寿命時間との差異を把握することでき、装置を改善するための参考にすることができる。
【００５０】
（変形例）
表示回路２３は、残寿命割合、積算稼働時間、残寿命時間の順に切り替えて表示すると説明した。しかし、これに限定されるものではなく、残寿命割合、積算稼働時間および残寿命時間を同じ表示回路２３に表示させてもよい。
【００５１】
また、表示回路２３は、所定時間内に切替信号の入力等があることで、残寿命割合、積算稼働時間、残寿命時間の順で表示を切り替えると説明した。しかし、これに限定されるものではなく、表示回路２３は、所定時間内に切替信号の入力等がなくても、残寿命割合、積算稼働時間、残寿命時間の順で自動的に表示を切り替えてもよい。
【００５２】
また、スイッチ２４は、表示回路２３に電源部１０の寿命に関する情報を表示させる、または表示を切り替える操作手段として機能しているが、他の操作（例えば、電圧値を表示さえるなど）の機能を割り当ててもよい。
【００５３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５４】
１０  電源部、１１  ノイズフィルタ、１２  整流回路、１３  力率改善回路、１４  突入電流制限回路、１５  平滑回路、２６，３１  整流・平滑回路、１６  トランス、１７  ドライブ制御回路、１８  ＭＯＳＦＥＴ、１９  過電流検出回路、２０  表示部、２１  計時回路、２２  演算回路、２３  表示回路、２４  スイッチ、２５  通信回路、３２  電圧検出回路、３３  過電圧検出回路、１００  電源装置。
【図１】
2018152994.tif 000003
【図２】
2018152994.tif 000004
【図３】
2018152994.tif 000005
【図４】
2018152994.tif 000006
【図５】
2018152994.tif 000007
【図６】
2018152994.tif 000008
【手続補正書】
【提出日】平成30年1月10日(2018.1.10)
【手続補正１】
【補正対象書類名】明細書
【補正対象項目名】００４６
【補正方法】変更
【補正の内容】
【００４６】
次に、演算回路２２は、所定時間内にスイッチ２４の押下による切替信号の入力または通信回路２５での切替信号の受信の有無を判断する（ステップＳ１３）。演算回路２２は、所定時間内に切替信号の入力または受信があったと判断した場合（ステップＳ１３：ＹＥＳ）、表示回路２３に算出した積算稼働時間（図３（ｂ））を表示させる（ステップＳ１４）。演算回路２２は、所定時間内に切替信号の入力または受信がないと判断した場合（ステップＳ１３：ＮＯ）、電源部１０の寿命に関する情報の表示を終了する。つまり、ステップＳ１１における切替信号の入力等で、一旦、電源部１０の寿命に関する情報を表示させた場合、さらに切替信号の入力等があれば電源部１０の寿命に関する情報を切り替える。
【手続補正２】
【補正対象書類名】明細書
【補正対象項目名】００４８
【補正方法】変更
【補正の内容】
【００４８】
次に、演算回路２２は、所定時間内にスイッチ２４の押下による切替信号の入力または通信回路２５での切替信号の受信の有無を判断する（ステップＳ１７）。演算回路２２は、所定時間内に切替信号の入力または受信があったと判断した場合（ステップＳ１７：ＹＥＳ）、ステップＳ１２に戻り表示回路２３に算出した残寿命割合（図５）を表示させる。演算回路２２は、所定時間内に切替信号の入力または受信がないと判断した場合（ステップＳ１７：ＮＯ）、電源部１０の寿命に関する情報の表示を終了する。つまり、ステップＳ１１における切替信号の入力等で、一旦、電源部１０の寿命に関する情報を表示させた場合、切替信号の入力等によって、残寿命割合、積算稼働時間、残寿命時間の順で表示を切り替えることができる。
【手続補正３】
【補正対象書類名】図面
【補正対象項目名】図１
【補正方法】変更
【補正の内容】
【図１】
2018152994.tif 000009